(57)【特許請求の範囲】
【請求項１】
デジタル信号を符号化して符号化信号を出力する符号化手段と、
試験信号と試験制御信号とを入力する信号入力手段と、
相手側端末装置との接続制御を行う機能と上記試験制御信号に基づいて出力する信号を切替えさせる切替え信号を出力する機能とを有する接続制御手段と、
上記符号化信号を多重化した多重化信号を出力する多重制御手段と、
上記切替え信号に基づいて出力する信号を上記多重化信号と上記試験信号とのいずれかとする信号切替手段とを有する画像伝送装置と、
上記試験制御信号と試験データ生成信号と多重化制御信号とを出力し通信試験を制御する試験制御手段と、
上記試験データ生成信号に基づいて試験データを生成する試験データ生成手段と、
上記多重化制御信号に基づいて上記試験データを多重化して、または多重化せずに上記試験信号を出力する信号多重化手段とを有する試験装置とを備え、上記試験制御手段が上記多重制御手段によるフレーム同期信号をもとに時分割多重させた試験信号を上記試験装置に生成させることで、同期はずれを発生させずに上記試験装置からの上記試験信号を上記相手側端末装置に送信することを特徴とする通信試験システム。
【請求項２】
試験信号は画像伝送装置と相手側端末装置との通信に適合するように生成されるとともに、上記相手側端末装置に対して折り返し試験を起動させる信号成分を有し、
試験装置は上記相手側端末装置からの受信信号から受信試験データを分離する信号分離手段と、
試験データと上記受信試験データとを比較して比較結果を出力する信号比較手段とを有することを特徴とする請求項１記載の通信試験システム。
【請求項３】
信号切替手段は多重化信号と第１の試験信号とのいずれかを送信信号とする第１の信号切替手段と、
符号化信号と第２の試験信号とのいずれかを多重制御手段に出力する第２の信号切替手段と、
デジタル信号と第３の試験信号とのいずれかを符号化手段に出力する第３の信号切替手段とからなり、
接続制御手段は試験制御信号に基づいて上記第１の信号切替手段または上記第２の信号切替手段または上記第３の信号切替手段に切替え信号を出力する機能を有し、
試験データ生成手段は試験データ生成信号に基づいて上記第１の試験信号または上記第２の試験信号または上記第３の試験信号の試験データを生成し、
多重化制御信号に基づいて上記試験データを多重化して上記第１試験信号を、また多重化せずに上記第２試験信号または上記第３の試験信号を出力することを特徴とする請求項１記載の通信試験システム。
【請求項４】
自側端末装置から相手側端末装置に送信した符号化画像信号または符号化音声信号を含む送信信号が上記相手側端末装置にて画像または音声として正常に出力されないという障害が発生した場合に、
試験手段から符号化画像信号または符号化音声信号を含む上記自側端末装置と上記相手側端末装置間での通信に適合するように上記送信信号のフレーム同期信号をもとに時分割多重して生成された試験信号を上記自側端末装置に供給し、
上記自側端末装置と上記相手側端末装置との間で同期はずれを発生させることなく上記自側端末装置から上記相手側端末装置に上記試験信号を送信し、
上記相手側端末装置にて上記試験信号を復号処理し画像または音声として出力し障害発生の有無を確認することにより、
障害発生箇所が上記自側端末装置か上記相手側端末装置または上記回線かを切り分けることを特徴とする通信試験方法。
【請求項５】
自側端末装置から相手側端末装置に送信した符号化画像信号または符号化音声信号を含む送信信号が上記相手側端末装置にて画像または音声として正常に出力されないという障害が発生し、その障害発生箇所が上記相手側端末装置か回線である場合に、
試験手段から符号化画像信号または符号化音声信号を含む上記自側端末装置と上記相手側端末装置間での通信に適合するように上記送信信号のフレーム同期信号をもとに時分割多重して生成されるとともに上記相手側端末装置に対して復号処理をせずに折り返すように動作させる信号成分を有する試験信号を上記自側端末装置に供給し、
上記自側端末装置と上記相手側端末装置との間で同期はずれを発生させることなく上記自側端末装置から上記相手側端末装置に上記試験信号を送信信号として送信し、
上記相手側端末装置では上記試験信号を復号処理せず上記自側端末装置に折り返し、
上記試験手段は上記自側端末装置から上記折り返された試験信号と上記試験信号とを比較することにより、障害発生箇所が上記相手側端末装置か上記回線かを切り分けることを特徴とする通信試験方法。
【請求項６】
自側端末装置から相手側端末装置に送信した送信信号が上記相手側端末装置にて画像または音声として正常に出力されないという障害が発生し、その障害発生箇所が上記自側端末装置にある場合に、
試験手段から上記自側端末装置を構成する一部である、信号を圧縮し符号化して符号化信号を出力する符号化手段と、上記符号化手段からの符号化信号を多重化して多重化信号を出力する多重制御手段とのいずれかに各々に適した試験信号を供給し、
上記自側端末装置と上記相手側端末装置との回線を切断することなく上記自側端末装置から上記相手側端末装置に上記試験信号を送信し、
上記相手側端末装置にて上記試験信号を復号処理し画像または音声として出力し障害の有無を確認することにより、
障害発生箇所が上記符号化手段か多重制御手段かを切り分けることを特徴とする通信試験方法。
【請求項７】
アナログ信号を入力する入力部と、上記アナログ信号と第１の試験信号とを切替える第１の信号切替手段と、上記第１の信号切替手段からの信号をデジタル信号に変換する変換手段と、上記デジタル信号と第２の試験信号とを切替える第２の信号切替手段と、上記第２の信号切替手段からの信号を符号化して符号化信号を出力する符号化手段と、上記符号化信号と第３の試験信号とを切替える第３の信号切替手段と、上記第３の信号切替手段からの信号を多重化して多重化信号を出力する多重制御手段とを有する自側端末装置から相手側端末装置に送信した送信信号が上記相手側端末装置にて画像または音声として正常に出力されず、その障害発生箇所が上記自側端末装置にある場合に、
試験手段から符号化信号を有する上記第３の試験信号を上記第３の信号切替手段に供給し、
上記自側端末装置と上記相手側端末装置との回線を切断することなく上記自側端末装置から上記相手側端末装置に対して、上記第１の試験信号が多重化された送信信号を送信し、
上記相手側端末装置にて上記試験信号を復号処理し画像または音声として出力し障害の有無を確認することにより、
障害発生箇所が上記多重制御手段か否かを切り分け、
障害発生箇所が上記多重制御手段でない場合は、上記試験手段からデジタル信号を有する第２の試験信号を上記第２の信号切替手段に供給し、
上記自側端末装置と上記相手側端末装置との回線を切断することなく上記自側端末装置から上記相手側端末装置に対して、上記第２の試験信号が符号化、多重化された送信信号を送信し、
上記相手側端末装置にて上記試験信号を復号処理し画像または音声として出力し障害の有無を確認することにより、
障害発生箇所が上記符号化手段か否かを切り分け、
障害発生箇所が上記符号化手段でない場合は、上記試験手段からアナログ信号を有する第３の試験信号を上記第３の信号切替手段に供給し、
上記自側端末装置と上記相手側端末装置との回線を切断することなく上記自側端末装置から上記相手側端末装置に対して、上記第３の試験信号を変換し、符号化し、多重化した送信信号を送信し、
上記相手側端末装置にて上記試験信号を復号処理し画像または音声として出力し障害の有無を確認することにより、
障害発生箇所が上記変換手段か否かを切り分けることを特徴とする通信試験方法。
【発明の詳細な説明】
【０００１】
【産業上の利用分野】
この発明は、ＴＶ会議システム等の遠隔地とコミュニケーションを図る際のデータ通信に係わり、障害発生箇所を切り分ける場合における通信試験システムおよび通信試験方法に関するものである。
【０００２】
【従来の技術】
図６は、従来の画像伝送装置を示すブロック図である。図６において、点線にて囲まれた５０は画像伝送装置を示し、また、点線にて囲まれた５１は画像符号化器、５１ａはアナログ信号をデジタル信号に変換するＡ／Ｄ変換器、５１ｂはデータを符号化し圧縮する符号化処理部、また、点線にて囲まれた５２は画像復号器、５２ａはデジタル信号をアナログ信号に変換するＤ／Ａ変換器、５２ｂは符号化されたデータを復号する復号処理部、５３は多重制御部、５４は分離制御部、また、点線にて囲まれた５５は音声符号化器、５５ａはアナログ音声信号をデジタル音声信号に変換するＡ／Ｄ変換器、５５ｂはデジタル音声信号を符号化する符号化処理部、点線にて囲まれた５６は音声復号器、５６ａはデジタル信号をアナログ信号に変換するＤ／Ａ変換器、５６ｂは符号化された音声信号を復号する復号処理部、５７は相手端末との接続制御を行うとともに自端末の送信符号化則を制御する接続制御部である。５８は端末装置である画像伝送装置５０に接続されるＤＳＵ（回線終端装置）である。
【０００３】
１０１は接続制御部５７から画像符号化器５１に出力される符号化則を制御する制御信号、１０２は同じく音声符号化器５５に出力される符号化則を制御する制御信号、１０３は音声復号器５６に出力される復号処理のための符号化則を制御する制御信号、１０４は多重制御部に出力される多重フォーマットを制御する制御信号、１０５は送信制御信号であり、２０１は外部より入力されるアナログビデオ信号、２０２はＡ／Ｄ変換器５１ａによりデジタル化されたデジタルビデオ信号、２０３は符号化処理部５１ｂにより符号化された符号化画像信号、２０４は外部より入力されるアナログ音声信号、２０５はＡ／Ｄ変換器５５ａによりデジタル化されたデジタル音声信号、２０６は符号化処理部５５ｂにより符号化された符号化音声信号、３０１はＤＳＵ５８を介して相手側端末装置に送信される多重化された送信信号、４０１はＤＳＵ５８を介して受信する相手側端末装置からの受信信号、４０２は受信制御信号、４０３は受信符号化画像信号、４０４は復号処理部５２ｂにより復号された受信デジタルビデオ信号、４０５はＤ／Ａ変換器５２ａにより変換された受信アナログビデオ信号、４０６は受信符号化音声信号、４０７は復号処理部５６ｂにより復号された受信デジタル音声信号、４０８はＤ／Ａ変換器により変換された受信アナログ音声信号である。
【０００４】
次に動作について説明する。まず、送信動作について説明すると、図示されないビデオカメラ等からのアナログビデオ信号２０１をＡ／Ｄ変換器５１ａでデジタルビデオ信号２０２とし、符号化処理部５１ｂにて、接続制御部５７からの制御信号１０１に基づいた符号化則により符号化し符号化画像信号２０３を多重制御部５３へ出力する。
尚、この符号化処理では、例えばＩＴＵ−Ｔ勧告Ｈ．２６１の符号化則に基づいた符号化則が摘要される。このＩＴＵ−Ｔ勧告Ｈ．２６１では２種類の画像フォーマットが規程されており、１つは同勧告Ｈ．３２０に従う端末装置が必須機能として備えていなければならないＱＣＩＦと呼ばれる水平画素数１７６、垂直ライン数１４４からなる画像フォーマットである。また、他は１つのオプションとして用いても良いと規程されているＦＣＩＦと呼ばれる水平画素数３５２、垂直ライン数２８８からなる画像フォーマットであり、いずれのフォーマットを用いるかは制御信号１０１により制御される。
【０００５】
また、同じく図示されないマイクロフォン等からのアナログ音声信号２０４をＡ／Ｄ変換器５５ａでデジタル音声信号２０５とし、符号化処理部５５ｂにて接続制御部５７からの制御信号１０２に基づいた符号化則により符号化し、符号化画像信号２０６を多重制御部５３へ出力する。  尚、この符号化則には、例えば日本・米国等で用いられているＩＴＵ−Ｔ勧告Ｇ．７１１でのμ則、欧州等で用いられているＡ則、高品質音声を扱うＩＴＵ−Ｔ勧告Ｇ．７２２、あるいは符号化処理情報量が少ないＩＴＵ−Ｔ勧告Ｇ．７２８等があり、これらのうちの１つで符号化される。
【０００６】
多重制御部５３は符号化画像信号２０３と符号化音声信号２０６と接続制御部５７からの送信制御信号１０５を、例えばＩＴＵ−Ｔ勧告Ｈ．２２１に従ったフォーマットに時分割多重し、送信信号３０１としてＤＳＵ５８を介して相手側端末装置に出力する。この際、どのような多重フォーマットで多重処理するかは接続制御部５７からの制御信号１０４により制御される。
以上により自端末装置から画像信号と音声信号および制御信号等が相手側端末装置に出力される。
【０００７】
次に受信動作について説明する。相手側端末装置からの受信信号４０１をＤＳＵ５８を介して受信し、分離制御部５４が接続制御部５７からの制御信号１０６に基づいて、受信制御信号４０２、受信符号化画像信号４０３、受信符号化音声信号４０６等に分離してそれぞれ接続制御部５７、画像復号器５２、音声復号器５６に出力する。
【０００８】
画像復号器５２は、復号処理部５２ｂにて受信符号化画像信号４０３を画像符号化器５１での符号化手順とは逆の処理で復号してデジタルビデオ信号４０４とし、Ｄ／Ａ変換器５２ａにてアナログビデオ信号４０５として図示されないモニター等の表示装置へ出力する。
この際、前述のＱＣＩＦとして復号処理するか、ＦＣＩＦとして復号処理するかは受信符号化画像信号４０３内の情報に従って画像復号器５２が判断する。
【０００９】
音声復号器５６は、復号処理部５６ｂにて受信符号化音声信号４０６を音声符号化器５５での符号化手順とは逆の処理で復号してデジタルビデオ信号４０７とし、Ｄ／Ａ変換器５６ａにてアナログビデオ信号４０８として図示されないスピーカー等へ出力する。
この際、どのような符号化則に従って復号処理を行うかは接続制御部５７からの制御信号１０３により制御される。
以上により相手側端末装置から送信される画像信号、音声信号、制御信号が処理され、必要に応じてモニターやスピーカーに出力される。
【００１０】
尚、接続制御部５７は、送信制御信号１０５と受信制御信号４０２とを用いて相手側端末装置との接続制御を行う。すなわち、自端末装置の受信復号能力情報を相手側端末装置へ送信するとともに相手側端末装置の受信復号能力情報を受信し自端末装置からの送信符号化則（制御信号１０１、１０２等）を決定する。
【００１１】
【発明が解決しようとする課題】
従来の画像伝送装置は以上のように構成されているので、例えばＴＶ会議システムの据付、立ち上げに伴う調整作業やＴＶ会議システム使用中に、自端末装置から送信した信号が相手側端末装置にて画像または音声等として正常に出力されない等の障害が発生した場合、通信回線に自端末装置が出力した送信信号が正常か否か判断することができないことや、システム上回線を一端切断しなければならないため、障害の発生箇所が自端末装置、相手側端末装置、通信回線の内のどこか、またどの部分かを切り分けることができないという欠点がある。
【００１２】
例えば、日本電信電話（株）の提供しているＩＮＳネット網等ではＤＳＵ（端末機器側に配置される回線終端装置）までの受信経路の確認を行うには、一度通信を終了し回線を切断し自端末装置側を確認するので、回線、相手側端末装置に障害があった場合は不必要に自端末側の画像伝送装置の試験を行うことになる。また、試験は交換器側から試験起動をかける必要があり、非常に手間がかかるとともに原因調査が困難であった。
【００１３】
この発明は以上のような問題点を解決するためになされたもので、自端末装置から送信した情報が相手側端末装置に正常に出力されない場合に、通信を切断することなしに、障害が発生しているのが自端末装置、相手側端末装置、通信回線の内いずれなのか容易に切り分けるとともに、障害発生箇所が自端末装置の場合には発生部分をがどこなのか切り分けられる通信試験システムおよび通信試験方法を得ることを目的とする。
【００１４】
【課題を解決するための手段】
この発明の請求項１に示す通信試験システムは、デジタル信号を符号化して符号化信号を出力する符号化手段と、試験信号と試験制御信号とを入力する信号入力手段と、相手側端末装置との接続制御を行う機能と上記試験制御信号に基づいて出力する信号を切替えさせる切替え信号を出力する機能とを有する接続制御手段と、上記符号化信号を多重化した多重化信号を出力する多重制御手段と、上記切替え信号に基づいて出力する信号を上記多重化信号と上記試験信号とのいずれかとする信号切替手段とを有する画像伝送装置と、上記試験制御信号と試験データ生成信号と多重化制御信号とを出力し通信試験を制御する試験制御手段と、上記試験データ生成信号に基づいて試験データを生成する試験データ生成手段と、上記多重化制御信号に基づいて上記試験データを多重化して、または多重化せずに上記試験信号を出力する信号多重化手段とを有する試験装置とを備え、上記試験制御手段が上記多重制御手段によるフレーム同期信号をもとに時分割多重させた試験信号を上記試験装置に生成させることで、同期はずれを発生させずに上記試験装置からの上記試験信号を上記相手側端末装置に送信するものである。
【００１５】
この発明の請求項２に示す通信試験システムは請求項１に示す構成に加え、試験信号が画像伝送装置と相手側端末装置との通信に適合するように生成されるとともに、相手側端末装置に対して折り返し試験を起動させる信号成分を有し、試験装置は上記相手側端末装置からの受信信号から受信試験データを分離する信号分離手段と、試験データと上記受信試験データとを比較して比較結果を出力する信号比較手段とを有するものである。
【００１６】
この発明の請求項３に示す通信試験システムは請求項１に示す構成に加え、信号切替手段は多重化信号と第１の試験信号とのいずれかを送信信号とする第１の信号切替手段と、符号化信号と第２の試験信号とのいずれかを多重制御手段に出力する第２の信号切替手段と、デジタル信号と第３の試験信号とのいずれかを符号化手段に出力する第３の信号切替手段とからなり、接続制御手段は試験制御信号に基づいて上記第１の信号切替手段または上記第２の信号切替手段または上記第３の信号切替手段に切替え信号を出力する機能を有し、試験データ生成手段は試験データ生成信号に基づいて上記第１の試験信号または上記第２の試験信号または上記第３の試験信号の試験データを生成し、多重化制御信号に基づいて上記試験データを多重化して上記第１試験信号を、また多重化せずに上記第２試験信号または上記第３の試験信号を出力するものである。
【００１７】
この発明の請求項４に示す通信試験方法は、自側端末装置から相手側端末装置に送信した符号化画像信号または符号化音声信号を含む送信信号が上記相手側端末装置にて画像または音声として正常に出力されないという障害が発生した場合に、試験手段から符号化画像信号または符号化音声信号を含む上記自側端末装置と上記相手側端末装置間での通信に適合するように上記送信信号のフレーム同期信号をもとに時分割多重して生成された試験信号を上記自側端末装置に供給し、上記自側端末装置と上記相手側端末装置との間で同期はずれを発生させることなく上記自側端末装置から上記相手側端末装置に上記試験信号を送信し、上記相手側端末装置にて上記試験信号を復号処理し画像または音声として出力し障害発生の有無を確認することにより、障害発生箇所が上記自側端末装置か上記相手側端末装置または上記回線かを切り分けるものである。
【００１８】
この発明の請求項５に示す通信試験方法は、自側端末装置から相手側端末装置に送信した符号化画像信号または符号化音声信号を含む送信信号が上記相手側端末装置にて画像または音声として正常に出力されないという障害が発生し、その障害発生箇所が上記相手側端末装置か回線である場合に、試験手段から符号化画像信号または符号化音声信号を含む上記自側端末装置と上記相手側端末装置間での通信に適合するように上記送信信号のフレーム同期信号をもとに時分割多重して生成されるとともに上記相手側端末装置に対して復号処理をせずに折り返すように動作させる信号成分を有する試験信号を上記自側端末装置に供給し、上記自側端末装置と上記相手側端末装置との間で同期はずれを発生させることなく上記自側端末装置から上記相手側端末装置に上記試験信号を送信信号として送信し、上記相手側端末装置では上記試験信号を復号処理せず上記自側端末装置に折り返し、上記試験手段は上記自側端末装置から上記折り返された試験信号と上記試験信号とを比較することにより、障害発生箇所が上記相手側端末装置か上記回線かを切り分けるものである。
【００１９】
この発明の請求項６に示す通信試験方法は、自側端末装置から相手側端末装置に送信した送信信号が上記相手側端末装置にて画像または音声として正常に出力されないという障害が発生し、その障害発生箇所が上記自側端末装置にある場合に、試験手段から上記自側端末装置を構成する一部である、信号を圧縮し符号化して符号化信号を出力する符号化手段と、上記符号化手段からの符号化信号を多重化して多重化信号を出力する多重制御手段とのいずれかに各々に適した試験信号を供給し、上記自側端末装置と上記相手側端末装置との回線を切断することなく上記自側端末装置から上記相手側端末装置に上記試験信号を送信し、上記相手側端末装置にて上記試験信号を復号処理し画像または音声として出力し障害の有無を確認することにより、障害発生箇所が上記符号化手段か多重制御手段かを切り分けるものである。
【００２０】
この発明の請求項７に示す通信試験方法は、アナログ信号を入力する入力部と、上記アナログ信号と第１の試験信号とを切替える第１の信号切替手段と、上記第１の信号切替手段からの信号をデジタル信号に変換する変換手段と、上記デジタル信号と第２の試験信号とを切替える第２の信号切替手段と、上記第２の信号切替手段からの信号を符号化して符号化信号を出力する符号化手段と、上記符号化信号と第３の試験信号とを切替える第３の信号切替手段と、上記第３の信号切替手段からの信号を多重化して多重化信号を出力する多重制御手段とを有する自側端末装置から相手側端末装置に送信した送信信号が上記相手側端末装置にて画像または音声として正常に出力されず、その障害発生箇所が上記自側端末装置にある場合に、試験手段から符号化信号を有する上記第３の試験信号を上記第３の信号切替手段に供給し、上記自側端末装置と上記相手側端末装置との回線を切断することなく上記自側端末装置から上記相手側端末装置に対して、上記第１の試験信号が多重化された送信信号を送信し、上記相手側端末装置にて上記試験信号を復号処理し画像または音声として出力し障害の有無を確認することにより、障害発生箇所が上記多重制御手段か否かを切り分け、障害発生箇所が上記多重制御手段でない場合は、上記試験手段からデジタル信号を有する第２の試験信号を上記第２の信号切替手段に供給し、上記自側端末装置と上記相手側端末装置との回線を切断することなく上記自側端末装置から上記相手側端末装置に対して、上記第２の試験信号が符号化、多重化された送信信号を送信し、上記相手側端末装置にて上記試験信号を復号処理し画像または音声として出力し障害の有無を確認することにより、障害発生箇所が上記符号化手段か否かを切り分け、障害発生箇所が上記符号化手段でない場合は、上記試験手段からアナログ信号を有する第３の試験信号を上記第３の信号切替手段に供給し、上記自側端末装置と上記相手側端末装置との回線を切断することなく上記自側端末装置から上記相手側端末装置に対して、上記第３の試験信号を変換し、符号化し、多重化した送信信号を送信し、上記相手側端末装置にて上記試験信号を復号処理し画像または音声として出力し障害の有無を確認することにより、障害発生箇所が上記変換手段か否かを切り分けるものである。
【００２１】
【作用】
この発明の請求項１に示す通信試験システムは、上記試験制御手段が上記多重制御手段によるフレーム同期信号をもとに時分割多重させた試験信号を上記試験装置に生成させることで、同期はずれを発生させずに上記試験装置からの上記試験信号を上記相手側端末装置に送信するので、通信中の回線を切断することなしに試験が行える。
【００２２】
また、この発明の請求項２に示す通信試験システムは、正常な信号である試験信号を相手側端末装置に送信し、相手側端末装置にて復号処理をせずに試験信号を折り返し、試験手段にて送信前の試験信号と折り返された受信試験信号とを比較するので、比較結果により相手側端末装置に障害があるのか回線に障害があるのか判断できる。
【００２３】
また、この発明の請求項３に示す通信試験システムは、正常な信号である第１の試験信号を相手側端末装置に送信し、障害が消えた場合は自側端末装置に障害があると判断でき、障害が消えない場合は相手側端末装置または回線に障害があると判断でき、また、正常な信号である第２の試験信号を多重制御手段に与え、相手側端末装置に送信して障害の有無を確認することにより多重制御手段前後で障害発生箇所を切り分けることができ、また、正常な信号である第３の試験信号を符号化手段に与え、相手側端末装置に送信して障害の有無を確認することにより符号化手段前後で障害発生箇所を切り分けることができる。
【００２４】
また、この発明の請求項４に示す通信試験方法は、試験手段から符号化画像信号または符号化音声信号を含む上記自側端末装置と上記相手側端末装置間での通信に適合するように上記送信信号のフレーム同期信号をもとに時分割多重して生成された試験信号を上記自側端末装置に供給し、上記自側端末装置と上記相手側端末装置との間で同期はずれを発生させることなく上記自側端末装置から上記相手側端末装置に上記試験信号を送信するので、通信中の回線を切断することなしに試験が行える。
【００２５】
また、この発明の請求項５に示す通信試験方法は、試験手段から符号化画像信号または符号化音声信号を含む上記自側端末装置と上記相手側端末装置間での通信に適合するように上記送信信号のフレーム同期信号をもとに時分割多重して生成されるとともに上記相手側端末装置に対して復号処理をせずに折り返すように動作させる信号成分を有する試験信号を上記自側端末装置に供給し、上記自側端末装置と上記相手側端末装置との間で同期はずれを発生させることなく上記自側端末装置から上記相手側端末装置に上記試験信号を送信信号として送信するので、通信中の回線を切断することなしに試験が行える。
【００２６】
また、この発明の請求項６に示す通信試験方法は、試験手段から上記自側端末装置を構成する一部である、信号を圧縮し符号化して符号化信号を出力する符号化手段と、上記符号化手段からの符号化信号を多重化して多重化信号を出力する多重制御手段とのいずれかに各々に適した試験信号を供給し、上記自側端末装置と上記相手側端末装置との回線を切断することなく上記自側端末装置から上記相手側端末装置に上記試験信号を送信し、上記相手側端末装置にて上記試験信号を復号処理し画像または音声として出力し障害の有無を確認することにより、障害発生箇所が上記符号化手段か多重制御手段かを切り分けることができる。
【００２７】
また、この発明の請求項７に示す通信試験方法は、試験手段から符号化信号を有する上記第３の試験信号を上記第３の信号切替手段に供給し、上記自側端末装置と上記相手側端末装置との回線を切断することなく上記自側端末装置から上記相手側端末装置に対して、上記第１の試験信号が多重化された送信信号を送信し、上記相手側端末装置にて上記試験信号を復号処理し画像または音声として出力し障害の有無を確認することにより、障害発生箇所が上記多重制御手段か否かを切り分け、障害発生箇所が上記多重制御手段でない場合は、上記試験手段からデジタル信号を有する第２の試験信号を上記第２の信号切替手段に供給し、上記自側端末装置と上記相手側端末装置との回線を切断することなく上記自側端末装置から上記相手側端末装置に対して、上記第２の試験信号が符号化、多重化された送信信号を送信し、上記相手側端末装置にて上記試験信号を復号処理し画像または音声として出力し障害の有無を確認することにより、障害発生箇所が上記符号化手段か否かを切り分け、障害発生箇所が上記符号化手段でない場合は、上記試験手段からアナログ信号を有する第３の試験信号を上記第３の信号切替手段に供給し、上記自側端末装置と上記相手側端末装置との回線を切断することなく上記自側端末装置から上記相手側端末装置に対して、上記第３の試験信号を変換し、符号化し、多重化した送信信号を送信し、上記相手側端末装置にて上記試験信号を復号処理し画像または音声として出力し障害の有無を確認することにより、障害発生箇所が上記変換手段か否かを切り分けることができる。
【００２８】
【実施例】
実施例１．
図１、図２および図３にこの発明の一実施例を示す。図１はこの発明の通信試験システムを示す概略図、図２は画像伝送装置の詳細ブロック図、図３は試験装置の詳細ブロック図である。図１、図２および図３において、従来例と同等のものは同符号を付し、説明を省略する。１は通信試験システム概略全体図、点線にて囲まれた２は画像伝送装置、３は自端末装置の送信符号化則を制御し、相手側端末装置との間で接続制御を行なう機能と、下記試験装置からの指示に基づき動作するとともに試験信号と多重制御部５３からの送信信号３０１とを切替える切替え信号を出力する接続制御部、４は接続制御部３からの切替え信号に基づいて送信信号３０１と試験信号とを切り換えて相手側端末装置に信号を送信する切替器、５は接続制御部３と試験装置との間で、試験起動、試験終了等に関する制御情報を受け渡す制御インターフェイス部、６は試験装置から出力される時分割多重した試験信号を入力する試験信号入力部、７は相手側端末装置から送信される受信信号４０１を試験装置に出力する信号出力部である。
【００２９】
点線にて囲まれた８は試験装置、９は試験の起動、終了および各部を制御する試験制御部、１０は画像伝送装置２との制御データの受け渡しを行う制御インタフェース部、１１はＦＡＳ信号、ＢＡＳ信号と試験データとを時分割多重する多重制御部、１２は試験データ生成部、１３は多重制御部１１で多重された試験データ等のデータ列を画像伝送装置２に出力する送信インタフェース部、１４は画像伝送装置２から試験装置側に出力される相側端末装置からの受信試験信号を受ける受信インタフェース部、１５は受信試験信号からＦＡＳ信号、ＢＡＳ信号と受信試験データとを分離する分離制御部、１６は分離された受信試験データを送信した試験データとの間で比較確認する試験データ比較部、１７は作業者により試験の起動・終了の指示を受け試験結果を出力、表示等するマン・マシンインタフェース部である。
【００３０】
１０７は相手側端末装置に送信する信号を選択するための切替え信号、１０８は制御インタフェース部５を介して接続制御部３から試験装置へ出力する制御信号である。
５０１はマン・マシンインタフェース１７から入力される作業者の指示に基づく操作入力信号、５０２は試験制御部９から制御インタフェース部１０を介して画像伝送装置２に出力される制御信号、５０３は試験制御部９から試験データ生成部１２への制御信号、５０４は試験制御部９から多重制御部１１への多重化フォーマット等を制御する制御信号、５０５は試験制御部９から分離制御部１５への分離フォーマットを制御する制御信号、５０６は試験データ生成部１２から出力される試験データ、５０７は多重制御部１１にて時分割多重化され、送信インタフェース部１３を介して画像伝送装置２の切替器４に出力される試験信号、５０８は受信インタフェース部１４を介して入力される受信信号４０１を分離制御部１５により分離された受信試験データ、５０９は試験データ比較部１６から出力される試験結果信号である。
【００３１】
尚、試験データ信号５０６、試験信号５０７（試験の際の送信信号３０２も含む）等は、試験データの構成に特別の配慮をしなければならない。すなわち、ＴＶ会議システムを構成し、かつ試験対象となる画像伝送装置は例えばＩＴＵ−Ｔ勧告Ｈ．２２１やＨ．２４２に従うように動作するためである。これらの勧告では、伝送路上通信されるデータ列は一定のデータビット数を区切りとするフレーム構造が採用されており、送信側で設定されるＦＡＳと呼ばれるフレーム同期信号によりフレームの区切りを示し、受信側ではこのフレーム構造を認識して受信処理を行うよう動作する。ＦＡＳ信号および動作の詳細は同勧告Ｈ．２２１内に示されている。
【００３２】
また、このフレーム内にはフレーム列内に存在する例えば、画像信号、音声信号、制御信号等の複数のメディアデータに対して、どのような種類のものがどれだけの多重速度で多重処理するかを示すＢＡＳ信号と呼ばれるビットレート割当信号も同時に存在し、受信側ではこの受信フレーム内に存在するＢＡＳ信号を解読しながら多重化データの分離・復号処理を制御するよう動作する。ＢＡＳ信号およびこれに基づく動作の詳細は同勧告Ｈ．２２１およびＨ．２４２内に示されている。
【００３３】
これらＦＡＳ信号およびＢＡＳ信号を保存しつつ試験することが必要であり、これを無視して適当な試験データを送信すると、相手側端末装置で受信フレーム同期外れ状態、あるいは解読不能な状態として異常なＢＡＳ信号に基づいて受信処理が行われるため、試験自体が正常に行えなくなる恐れが生じる。
【００３４】
次に動作について説明する。通常状態においては、切替器４は多重制御部５３からの送信信号３０１を相手側端末装置に送信信号３０２として出力しており、画像信号、音声信号の符号化等の動作は従来と同様である。
ここで、相手側端末装置に画像または音声が正常に出力されない等の障害が発生した場合、回線を切断せずに試験装置８を画像伝送装置２（自端末装置）に接続する。
試験の起動には、試験装置８のマン・マシンインタフェース部１７を作業者が操作し試験の起動が指示されると、試験制御部９はその状態を制御信号５０１により認識し制御信号５０２を出力する。この制御信号５０２が制御インタフェース部１０を介して画像伝送装置２へ出力され試験起動が指示される。画像伝送装置２では、この試験起動が制御信号５０２により指示されると、制御インタフェース部５を介して接続制御部３が信号を受取り試験準備が始められる。
【００３５】
試験装置８では、画像伝送装置２からの制御信号１０８を制御インタフェース部１０を介して入力し試験制御部９に試験準備完了が通知されると、試験制御部９は、制御信号５０３により試験データ生成部１２を起動するとともに、画像伝送装置２が動作していると同様なＦＡＳ信号、ＢＡＳ信号を生成し、制御信号５０４により多重制御部１１に対して多重化内容を指示するとともに、制御信号５０２により画像伝送装置２に試験開始を通知する。
【００３６】
試験データ生成部１２、多重制御部１１はそれぞれ制御信号５０３、制御信号５０４により起動され、試験データ５０６、この試験データ５０６を加え時分割多重化された試験信号５０７を順に出力し、送信インタフェース部１３を介して試験信号５０７が画像伝送装置２に出力される。
【００３７】
尚、この試験制御部９が生成するＦＡＳ信号、ＢＡＳ信号の種類については、制御インタフェース部１０を経由して画像伝送装置２から必要な情報を得られるようにしても良いし、マン・マシンインタフェース部１７にそれらを指定するスイッチ等を設けて、その設定情報に従うことにしても良い。
【００３８】
画像伝送装置２では、制御インタフェース部５を介して試験開始を通知されると、切換え信号１０７により切替器４を切替えて、試験信号入力部６を介して試験装置８から送られてくる試験信号５０７を送信信号３０２として相手側端末装置に出力する。
また、受信信号４０１は信号出力部７から試験装置８へも出力される。
【００３９】
ここで、画像伝送装置２が試験装置８からの試験開始の通知を受けてから切替器４を切替えるのは、試験装置８がＦＡＳ信号、ＢＡＳ信号を正しく出力し始めたのを認識してから切替えを行うためで、これを怠ると相手側端末装置で不用意に受信同期外れ等を誘発する恐れがあるからである。
【００４０】
この通信試験にて相手側端末装置の画像または音声等が正常状態に戻れば、自端末側の画像伝送装置に障害が発生していると分かる。また、相手側端末装置にて画像または音声等が正常に出力されない場合は、回線もしくは相手側端末装置に障害があることと推定できる。
【００４１】
ここで、相手側端末装置にて画像または音声等が正常に出力されない場合、相手側端末装置と使用している回線とのどちらに障害が発生しているのか切り分ける必要がある。
この場合は、自端末装置から送信信号として送信した試験信号を、相手側端末装置にて復号処理等をせずにそのまま折り返すようにすることによって回線の障害チェックを行う。
【００４２】
この折り返し試験は、試験データを相手側端末装置に向けて送信し、かつ相手側端末装置が復号処理をしないで折り返すように動作させる必要があるため、接続制御部３にて相手側端末装置が折り返してくるように制御データを構成した送信制御信号１０５を出力し、相手側端末装置に送信する。この相手側端末装置に対しての折り返し試験起動は、例えばＩＴＵ−Ｔ勧告Ｈ．２２１に示されるディジタルループバック指示用のＢＡＳ信号を用いて行われる。これにより、相手側端末装置では受信データ列を復号処理等を施さずに送信信号３０２を受信信号４０１として折り返すように動作する。
【００４３】
折り返し試験の動作について説明する。前述の試験と同様に、試験装置８のマン・マシンインタフェース部１７を作業者が操作し、折り返し試験の起動が指示されると、試験制御部９はその状態を操作入力信号５０１（信号の内容は前述の試験と異なる）により認識し制御信号５０２を出力する。この制御信号５０２が制御インタフェース部１０を介して画像伝送装置２へ出力され試験起動が指示される。制御信号５０２により試験起動が指示されると、画像伝送装置２では制御インタフェース部５を介して接続制御部３が制御信号５０２を受取り試験準備が始められる。
【００４４】
画像伝送装置２では、制御インタフェース部５を介して折り返し試験の試験起動を通知されると、接続制御部３にて、切替え信号１０７により切替器４に対して多重制御部５３からの送信信号３０１を送信するように切替えるとともに、相手側端末装置が信号をそのまま折り返してくるように制御データを構成した送信制御信号１０５を多重制御部５３に出力し、相手側端末装置に送信して折り返し試験の起動を行う。
相手端末装置に折り返しを指示すると、制御インタフェース部５を介して試験装置８へ試験準備完了を通知する。
【００４５】
以下、試験信号を相手側端末装置に送信信号３０２として送信するまでの動作は前述の試験と同様となるので説明を省略する。
相手側端末装置から復号処理等をしないで折り返された受信信号４０１は、信号出力部７を介して試験装置８に出力される。試験装置８では受信信号４０１を受信インタフエース部１４を介して入力し、分離制御部１５にて試験制御部９からの制御信号５０５により指定される分離フォーマットに従って受信試験データ５０８とそれ以外とに分離される。
【００４６】
試験データ比較器１６にて受信試験データ５０８と試験データ５０７とを比較し、比較結果が試験結果信号５０９としてマン・マシンインタフェース部１７に出力され、マン・マシンインタフェース部にてモニタ出力等の表示等により試験結果が作業者に通知される。
【００４７】
以上のように送信前の試験データ５０７と折り返された受信試験データ５０８とを比較することにより、両者間に差異がない場合は、使用している回線に障害がないと分かる。また、両者間に差異がある場合は、使用している回線に何等かの障害が発生していると推定できる。
尚、差異の判定の基準は、回線誤り率等を考慮して決めておけば良い。
【００４８】
また、試験の終了手順についても述べると、作業者がマン・マシンイタンフェース部１７から試験終了を入力すると、操作入力信号５０１により試験制御部９が終了動作を開始し、試験の終了を示す制御信号５０２を出力し制御インタフェース部１０を介して画像伝送装置２に出力される。画像伝送装置２は制御信号５０２が制御インタフェース部５を介して接続制御部３に入力されると、接続制御部３は切替え信号１０７を出力し切替器４が元通り送信信号３０１を送信するように切替えさせた後、送信制御信号１０５の制御データを用い相手側端末装置に折り返し動作を解除させる。この解除指示は、例えばＩＴＵ−Ｔ勧告Ｈ．２２１に示されるループバックオフ指示用ＢＡＳを用いて行われる。
この後、画像伝送装置２は制御インタフェース部５を介して試験終了応答を試験装置８に返答し、画像伝送装置２は通常状態に復帰する。
【００４９】
試験装置８は、制御インタフェース部１０を介して試験終了応答を受けると、多重制御部１１、試験データ生成部１２の動作を終了させて、試験待機の状態とする。
【００５０】
試験装置８が画像伝送装置２からの試験終了応答を受けてから内部動作を停止させるのは、画像伝送装置内の信号経路切替え、相手側端末装置への折り返し試験終了通知等の一連が終了する前に試験信号の送信を終了すると、相手側端末装置で不用意な同期外れ等が誘発する恐れがあるからである。
【００５１】
以上述べたように、この実施例１に示す通信試験システムおよびデータ通信試験方法は、自端末装置である画像伝送装置から送信した画像信号や音声信号が相手側端末装置で正常に出力されなかった場合に、画像伝送装置に試験装置を接続し、試験装置の正常な試験信号を相手側端末装置に送信して相手側端末装置での出力状態により、障害箇所を自端末装置と相手側端末装置または回線とに切り分けることができる。これにより自端末装置に障害がない場合は、試験装置の正常な試験信号を相手側端末装置に復号処理などをさせないで試験信号を折り返させ、送信前の試験信号と送信後の試験信号とを比較することにより、障害の発生箇所を相手側端末装置と回線とに切り分けることができ、回線を遮断しないで、容易に障害発生部分を特定することができる。
【００５２】
実施例２．
この発明の他の実施例について説明する。図４および図５にこの発明の実施例２を示す。この実施例２は、実施例１に示す試験の結果、相手側端末装置および回線に障害が発生していなかった場合、自端末装置に障害が発生していると考えられる。そこで、自端末装置のどの部分に障害が発生しているか切り分けるものである。図４は画像伝送装置の詳細ブロック図、図５は各基板を外した状態を示す画像伝送装置の外観斜視図である。尚、ＴＶ会議システムとしては実施例１に示したものと同様に構成される。
【００５３】
図４および図５において、従来例および実施例１に示したものと同等のものは同符号を付し説明を省略する。点線にて囲まれた１８は画像伝送装置、１９は自端末装置の送信符号化則を制御し、相手側端末装置との間で接続制御を行なう機能と、試験装置８からの指示に基づき動作するとともに、下記複数の切替器から出力される信号を切替える切替え信号をそれぞれの切替機に出力する接続制御部、点線にて囲まれた２０は画像符号化器、２０ａは接続制御部１９からの切替え信号によりアナログビデオ信号２０１と試験信号５０７とのいずれかを出力する切替器、２０ｂは切替器２０ａからのアナログビデオ信号をデジタル信号に変換するＡ／Ｄ変換器、２０ｃは接続制御部１９からの切替え信号によりＡ／Ｄ変換器２０ｂからのデジタルビデオ信号と試験信号５０７とのいずれかを出力する切替器、２０ｄはデータを符号化し圧縮する符号化処理部である。
【００５４】
また、点線にて囲まれた２１は音声符号化器、２１ａは接続制御部１９からの切替え信号によりアナログ音声信号２０４と試験信号５０７のいずれかを出力する切替器、２１ｂは切替器２１ａからのアナログ音声信号をデジタル音声信号に変換するＡ／Ｄ変換器、２１ｃは接続制御部１９からの切替え信号によりＡ／Ｄ変換器２１ｂからのデジタル音声信号と試験信号５０７のいずれかを出力する切替器、２１ｄは切替器２１ｃからのデジタル音声信号を符号化する符号化処理部である。
【００５５】
２２は試験装置８から出力される試験信号５０７を入力し、切替器４、切替器２０ａ、切替器２０ｃ、切替器２１ａ、切替器２１ｃの他、下記切替器に出力するする試験信号入力部、２３は接続制御部１９からの切替え信号により、試験信号入力部２２からの試験信号５０７と符号化処理部２０ｄからの符号化画像信号のいずれかを出力する切替器、２４は接続制御部１９からの切替え信号により、試験信号入力部２２からの試験信号５０７と符号化処理部２１ｄからの符号化音声信号のいずれかを出力する切替器である。
尚、いずれの切替器（切替器４〜切替器２４）も通常は試験信号５０７でない信号を出力している。
【００５６】
２５は一枚の回路基板で画像符号化器２０が構成されている、２６は一枚の回路基板で画像復号器５２が構成されている、２７は一枚の回路基板で音声符号化器２１が構成されている、２８は一枚の回路基板で音声復号器５６が構成されている、２９は一枚の回路基板で接続制御部１９他が構成されている。
【００５７】
１０９は多重制御部５３に出力する信号を切替えるための切替え信号、１１０は符号化処理部２０ｄに出力する信号を切替えるための切替え信号、１１１はＡ／Ｄ変換器２０ｂに出力する信号を切替えるための切替え信号、１１２は多重制御部５３に出力する信号を切替えるための切替え信号、１１３は符号化処理部２１ｄに出力する信号を切替えるための切替え信号、１１４はＡ／Ｄ変換器２０ｂに出力する信号を切替えるための切替え信号である。
【００５８】
２０７は切替器２０ａから出力されるアナログビデオ信号であり、アナログビデオ信号２０１か試験信号５０７（この場合の試験信号５０７の内容は、多重化処理等はされてない正常なアナログビデオ信号である。）のいずれかである。２０８はＡ／Ｄ変換器２０ｂから出力されるデジタルビデオ信号、２０９は切替器２０ｃから出力されるデジタルビデオ信号であり、デジタルビデオ信号２０８か試験信号５０７（この場合の試験信号５０７の内容は同じく正常なデジタルビデオ信号である。）のいずれかである。２１０は符号化処理部２０ｄから出力される符号化画像信号、２１１は切替器２３から出力される符号化画像信号であり、符号化画像信号２１０か試験信号５０７（この場合の試験信号５０７の内容は同じく正常な符号化画像信号である。）のいずれかである。２１２は切替器２１ａから出力されるアナログ音声信号であり、アナログ音声信号２０４か試験信号５０７（この場合の試験信号５０７の内容は同じく正常なアナログ音声信号である。）のいずれかである。２１３はＡ／Ｄ変換器２１ｂから出力されるデジタル音声信号、２１４は切替器２１ｃから出力されるデジタル音声信号であり、デジタル音声信号２１３か試験信号５０７（この場合の試験信号５０７の内容は同じく正常なデジタル音声信号である。）、２１５は符号化処理部２１ｄから出力される符号化音声信号、２１６は切替器２４から出力される符号化音声信号であり、符号化音声信号２１５は試験信号５０７（この場合の試験信号５０７の内容は同じく正常な符号化音声信号である。）のいずれかである。
【００５９】
動作について説明する。実施例１に示す試験による結果を踏まえ、すなわち自端末装置に障害が発生しているとの前提に立ち試験を行う。実施例１と同様に試験装置から正常な信号を画像伝送装置１８の各部毎に取込み相手側端末装置に送信するようにする。
まず、画像伝送系の障害について試験する場合、例えば多重制御部５３からＡ／Ｄ変換器２０ｂへと切り分ける場合、実施例１と同様に試験の起動には、試験装置８のマン・マシンインタフェース部１７を作業者が操作し試験の起動が指示されると、試験制御部９はその状態を制御信号５０１により認識し制御信号５０２を出力する。この制御信号５０２が制御インタフェース部１０を介して画像伝送装置１８へ出力され試験起動が指示される。画像伝送装置１８では、この試験起動が制御信号５０２により指示されると、制御インタフェース部５を介して接続制御部１９が信号を受取り試験準備が始められる。
【００６０】
試験装置８では、画像伝送装置１８からの制御信号１０８を制御インタフェース部１０を介して入力し試験制御部９に試験準備完了が通知されると、試験制御部９は、試験対象部分に応じた正常な信号を生成するように制御信号５０３により試験データ生成部１２を起動する。また、多重制御部１１に対しては制御信号５０４により試験データ５０７を多重化処理等をしないで出力するように指示するとともに、制御信号５０２により画像伝送装置１８に試験開始を通知する。
【００６１】
試験データ生成部１２は制御信号５０３により起動され、正常な符号化画像信号の試験データ５０６を出力する。多重制御部１１は制御信号５０４により起動され、この試験データ５０６を時分割多重化等をせずに試験信号５０７として出力し、送信インタフェース部１３を介して試験信号５０７が画像伝送装置１８に出力される。
【００６２】
画像伝送装置１８では、制御インタフェース部５を介して試験開始を通知されると、切換え信号１０９により切替器２５を切替えて、試験信号入力部６を介して試験装置８から送られてくる試験信号５０７を符号化画像信号２１１として多重制御部５３に出力する。尚、その他の切替器は切替えられないので、試験信号５０７を出力しない。
以下の動作は従来例に示したものと同様であるので詳細な説明は省略するが、以上により正常な符号化画像信号である試験信号５０７が多重制御部５３で処理された後に相手側端末装置に送信される。
相手側端末装置で障害が解消しなかった場合、障害の発生箇所が多重制御部５３であると推定される。また、相手側端末装置で障害が解消した場合、障害の発生箇所が多重制御部５３より前の画像符号化器２０以前であると推定できる。
以下に障害の発生箇所をさらに切り分ける方法を述べる。
尚、試験結果確認後、切替器２３は符号化画像信号２１０を出力するように切替えられる。（各切替器とも同様である。）また、受信信号４０１は同様に信号出力部７から試験装置８へも出力される。
【００６３】
ほぼ同様の動作であるので詳細な説明は省略して要点を述べると、画像符号化器２０以前の状況を試験するため、同様にマン・マシンインタフェース部１７を介して、試験データ生成部１２に正常なデジタルビデオ信号である試験データ５０６を出力させ、試験信号５０７を画像伝送装置１８に出力させる。また、接続制御部１９から切替え信号１１０を出力させる。この切替え信号１１０により切替器２０ｃは試験信号５０７をデジタルビデオ信号２０９として出力する。このデジタル画像信号２０９は符号化処理部２０ｄにて符号化処理され、符号化画像信号２１０として出力され、多重制御部５３にて時分割多重化された後相手側端末装置に送信される。
以上により、正常なデジタルビデオ信号である試験データ５０６、すなわち試験信号５０７が符号化処理、多重化されて相手側端末装置に送信される。
【００６４】
相手側端末装置にて障害が解消されなかった場合、障害の発生箇所が符号化処理部２０ｄであると推定される。また、障害が解消した場合、障害の発生箇所がＡ／Ｄ変換器２０ｂ以前であると推定できる。
【００６５】
つづいて、さらに障害の発生箇所を切り分ける場合、Ａ／Ｄ変換器２０ｂ以前の状況を試験するため、同様にマン・マシンインタフェース部１７を介して、試験データ生成部１２に正常なアナログビデオ信号である試験データ５０６を出力させ、試験信号５０７を画像伝送装置１８に出力させる。また、接続制御部１９から切替え信号１１１を出力させる。この切替え信号１１１により切替器２０ａは試験信号５０７をアナログビデオ信号２０８として出力する。このアナログビデオ信号２０８はＡ／Ｄ変換器２０ｂにてＡ／Ｄ変換されデジタルビデオ信号２０９として出力され、切替器２０ｄを介して符号化処理部２０ｄにて符号化処理され、符号化画像信号２１０として出力され、多重制御部５３にて時分割多重化された後相手側端末装置に送信される。
以上により、正常なアナログビデオ信号である試験データ５０６、すなわち試験信号５０７がデジタル化、符号化処理、多重化されて相手側端末装置に送信される。
【００６６】
相手側端末装置にて障害が解消されなかった場合、障害の発生箇所がＡ／Ｄ変換器２０ｂであると推定される。また、障害が解消した場合、障害の発生箇所がＡ／Ｄ変換器２０ｂより前のアナログビデオ信号を入力する外部装置であると推定できる。
【００６７】
また、以上は画像に障害が発生した場合について述べたが、音声に障害が発生した場合でも同様に切り分けすることができる。
前述の画像の場合とほぼ同様の動作であるので、詳細な説明は省略して要点を述べると、マン・マシンインタフェース部１７を介して、試験データ生成部１２に正常な符号化音声信号である試験データ５０６を出力させ、多重化処理せず、試験信号５０７を画像伝送装置１８に出力させる。また、接続制御部１９から切替え信号１１２を出力させる。この切替え信号１１２により切替器２４は試験信号５０７を符号化音声信号２１６として出力する。この符号化音声信号２１６は多重制御部５３にて時分割多重化された後相手側端末装置に送信される。
以上により、正常な符号化音声信号である試験データ５０６、すなわち試験信号５０７が相手側端末装置に送信される。
【００６８】
相手側端末装置で障害が解消しなかった場合、障害の発生箇所が多重制御部５３であると推定される。また、相手側端末装置で障害が解消した場合、障害の発生箇所が多重制御部５３より前の音声符号化器２１以前であると推定できる。
尚、音声の場合も同様に試験結果確認後、切替器２４は符号化音声信号２１５を出力するように切替えられる。（各切替器とも同様である。）また、受信信号４０１は同様に信号出力部７から試験装置８へも出力される。
以下同様に障害の発生箇所をさらに切り分ける方法を述べる。
【００６９】
ほぼ同様の動作であるので詳細な説明は省略して要点を述べると、音声符号化器２１以前の状況を試験するため、同様にマン・マシンインタフェース部１７を介して、試験データ生成部１２に正常なデジタル音声信号である試験データ５０６を出力させ、試験信号５０７を画像伝送装置１８に出力させる。また、接続制御部１９から切替え信号１１３を出力させる。この切替え信号１１３により切替器２１ｃは試験信号５０７をデジタル音声信号２１４として出力する。このデジタル音声信号２１４は符号化処理部２１ｄにて符号化処理され、符号化音声信号２１５として出力され、多重制御部５３にて時分割多重化された後相手側端末装置に送信される。
以上により、正常なデジタル音声信号である試験データ５０６、すなわち試験信号５０７が符号化処理、多重化されて相手側端末装置に送信される。
【００７０】
相手側端末装置にて障害が解消されなかった場合、障害の発生箇所が符号化処理部２１ｄであると推定される。また、障害が解消した場合、障害の発生箇所がＡ／Ｄ変換器２１ｂ以前であると推定できる。
【００７１】
つづいて、さらに障害の発生箇所を切り分ける場合、Ａ／Ｄ変換器２１ｂ以前の状況を試験するため、同様にマン・マシンインタフェース部１７を介して、試験データ生成部１２に正常なアナログ音声信号である試験データ５０６を出力させ、試験信号５０７を画像伝送装置１８に出力させる。また、接続制御部１９から切替え信号１１４を出力させる。この切替え信号１１４により切替器２１ａは試験信号５０７をアナログ音声信号２１２として出力する。このアナログ音声信号２１２はＡ／Ｄ変換器２１ｂにてＡ／Ｄ変換され、デジタル音声信号２１３として出力され、切替器２１ｄを介して、符号化処理部２１ｄにて符号化処理され、符号化音声信号２１５として出力され、多重制御部５３にて時分割多重化された後相手側端末装置に送信される。
以上により、正常なアナログ音声信号である試験データ５０６、すなわち試験信号５０７がデジタル化、符号化処理、多重化されて相手側端末装置に送信される。
【００７２】
相手側端末装置にて障害が解消されなかった場合、障害の発生箇所がＡ／Ｄ変換器２１ｂであると推定される。また、障害が解消した場合、障害の発生箇所がＡ／Ｄ変換器２１ｂより前のアナログ音声信号を入力する外部装置であると推定できる。
【００７３】
以上説明したように、この実施例２に示す通信試験システムおよび通信試験方法は以上のように構成されているので、試験装置８から正常な符号化画像または音声信号、デジタル画像または音声信号、アナログ画像または音声信号等を取り込み各部の動作試験を行うことによって、通信を切断することなしに、自側端末装置の障害発生箇所を詳細に切り分けることができる。
【００７４】
また、障害の発生箇所を特定できれば、その障害の発生部分の基板、すなわち基板２５、基板２６、基板２７、基板２８、基板２９等のいずれか障害が発生している基板を正常な基板と差替えすることにより容易にシステムを復旧させることができる。
【００７５】
【発明の効果】
また、この発明の請求項１に示す通信試験システムは、上記試験制御手段が上記多重制御手段によるフレーム同期信号をもとに時分割多重させた試験信号を上記試験装置に生成させることで、同期はずれを発生させずに上記試験装置からの上記試験信号を上記相手側端末装置に送信するので、通信中の回線を切断することなしに試験が行える効果がある。
【００７６】
また、この発明の請求項２に示す通信試験システムは、正常な信号である試験信号を相手側端末装置に送信し、相手側端末装置にて復号処理をせずに試験信号を折り返し、試験手段にて送信前の試験信号と折り返された受信試験信号とを比較するので、比較結果により相手側端末装置に障害があるのか回線に障害があるのか判断できる。
【００７７】
また、この発明の請求項３に示す通信試験システムは、正常な信号である第１の試験信号を相手側端末装置に送信し、障害が消えた場合は自側端末装置に障害があると判断でき、障害が消えない場合は相手側端末装置または回線に障害があると判断でき、また、正常な信号である第２の試験信号を多重制御手段に与え、相手側端末装置に送信して障害の有無を確認することにより多重制御手段前後で障害発生箇所を切り分けることができ、また、正常な信号である第３の試験信号を符号化手段に与え、相手側端末装置に送信して障害の有無を確認することにより符号化手段前後で障害発生箇所を切り分けることができる。
【００７８】
また、この発明の請求項４に示す通信試験方法は、試験手段から符号化画像信号または符号化音声信号を含む上記自側端末装置と上記相手側端末装置間での通信に適合するように上記送信信号のフレーム同期信号をもとに時分割多重して生成された試験信号を上記自側端末装置に供給し、上記自側端末装置と上記相手側端末装置との間で同期はずれを発生させることなく上記自側端末装置から上記相手側端末装置に上記試験信号を送信するので、通信中の回線を切断することなしに試験が行える効果がある。
【００７９】
また、この発明の請求項５に示す通信試験方法は、試験手段から符号化画像信号または符号化音声信号を含む上記自側端末装置と上記相手側端末装置間での通信に適合するように上記送信信号のフレーム同期信号をもとに時分割多重して生成されるとともに上記相手側端末装置に対して復号処理をせずに折り返すように動作させる信号成分を有する試験信号を上記自側端末装置に供給し、上記自側端末装置と上記相手側端末装置との間で同期はずれを発生させることなく上記自側端末装置から上記相手側端末装置に上記試験信号を送信信号として送信するので、通信中の回線を切断することなしに試験が行える効果がある。
【００８０】
また、この発明の請求項６に示す通信試験方法は、試験手段から上記自側端末装置を構成する一部である、信号を圧縮し符号化して符号化信号を出力する符号化手段と、上記符号化手段からの符号化信号を多重化して多重化信号を出力する多重制御手段とのいずれかに各々に適した試験信号を供給し、上記自側端末装置と上記相手側端末装置との回線を切断することなく上記自側端末装置から上記相手側端末装置に上記試験信号を送信し、上記相手側端末装置にて上記試験信号を復号処理し画像または音声として出力し障害の有無を確認することにより、障害発生箇所が上記符号化手段か多重制御手段かを切り分けることができる。
【００８１】
また、この発明の請求項７に示す通信試験方法は、試験手段から符号化信号を有する上記第３の試験信号を上記第３の信号切替手段に供給し、上記自側端末装置と上記相手側端末装置との回線を切断することなく上記自側端末装置から上記相手側端末装置に対して、上記第１の試験信号が多重化された送信信号を送信し、上記相手側端末装置にて上記試験信号を復号処理し画像または音声として出力し障害の有無を確認することにより、障害発生箇所が上記多重制御手段か否かを切り分け、障害発生箇所が上記多重制御手段でない場合は、上記試験手段からデジタル信号を有する第２の試験信号を上記第２の信号切替手段に供給し、上記自側端末装置と上記相手側端末装置との回線を切断することなく上記自側端末装置から上記相手側端末装置に対して、上記第２の試験信号が符号化、多重化された送信信号を送信し、上記相手側端末装置にて上記試験信号を復号処理し画像または音声として出力し障害の有無を確認することにより、障害発生箇所が上記符号化手段か否かを切り分け、障害発生箇所が上記符号化手段でない場合は、上記試験手段からアナログ信号を有する第３の試験信号を上記第３の信号切替手段に供給し、上記自側端末装置と上記相手側端末装置との回線を切断することなく上記自側端末装置から上記相手側端末装置に対して、上記第３の試験信号を変換し、符号化し、多重化した送信信号を送信し、上記相手側端末装置にて上記試験信号を復号処理し画像または音声として出力し障害の有無を確認することにより、障害発生箇所が上記変換手段か否かを切り分けることができる。
【図面の簡単な説明】
【図１】この発明の実施例１を示す通信試験システムの概略図である。
【図２】この発明の実施例１の画像伝送装置の詳細ブロック図である。
【図３】この発明の実施例１の試験装置の詳細ブロック図である。
【図４】この発明の実施例２の画像伝送装置の詳細ブロック図である。
【図５】この発明の実施例２の画像伝送装置の外形図である。
【図６】従来の画像伝送装置の詳細ブロック図である。
【符号の説明】
１  通信試験システム
２  画像伝送装置
３  接続制御部
４  切替器
８  試験装置
９  試験制御部
１８  画像伝送装置
１９  接続制御部
２０ａ  切替器
２０ｃ  切替器
２１ａ  切替器
２１ｃ  切替器
２３  切替器
２４  切替器
【図１】
0003582140.tif 000002
【図２】
0003582140.tif 000003
【図３】
0003582140.tif 000004
【図４】
0003582140.tif 000005
【図５】
0003582140.tif 000006
【図６】
0003582140.tif 000007